(57)【要約】  【課題】  複数のＬＥＤヘッドを主走査方向に配列するとともに副走査方向にずらして配置し、主走査方向のライン同期信号の間隔をずらすことによって微調変倍する画像形成時にも、ＬＥＤヘッドの副走査方向のずれによる画像データのずれを補正することができる画像形成装置を提供すること。  【解決手段】  等倍時は（Ｓ１１；Ｎ）ＬＥＤヘッドが副走査方向にずれている距離を主走査のライン数に換算した通常の副走査遅延量をラインメモリに設定し（Ｓ１２、１３）、微調変倍時は（Ｓ１１；Ｙ）ユーザ指定の微調変倍率に応じて求めた微調変倍時の副走査遅延量と通常の副走査遅延量の和をラインメモリに設定する（Ｓ１４〜Ｓ１７）。微調変倍時の副走査遅延量とはライン同期信号の間隔のずれによるものである。ラインメモリの設定値分ライン同期信号が出力されたところで画像データをＬＥＤヘッドに書き込むため、微調変倍時にもずれなく画像形成できる。  【選択図】  図９
2005170033.tif 000002
【特許請求の範囲】
【請求項１】
画像データを感光体上に書き込むための複数の発光素子アレイユニットを、前記感光体の軸線方向である主走査方向に配列するとともに、副走査方向にずらして配置した画像形成装置において、
画像データを微調変倍する際の微調変倍率の設定を受け付ける微調変倍率設定手段と、
前記微調変倍率設定手段にて設定された微調変倍率に応じて、画像データのずれを算出する算出手段と、
前記算出手段の算出に基づき、ライン同期信号の発生周期間隔を変化させる微調変倍手段と、
を備えたことを特徴とする画像形成装置。
【請求項２】
前記微調変倍手段にて微調変倍を行う場合、前記ライン同期信号の間隔をずらすことによって、発生する画像データのずれを補正する補正手段を備えたことを特徴とする請求項１記載の画像形成装置。
【請求項３】
前記算出手段による算出は、主走査方向のライン数を換算して副走査方向のずれを算出することを特徴とする請求項１記載の画像形成装置。
【請求項４】
前記算出手段により算出された主走査方向のライン数を換算した副走査方向のずれを記憶するレジスタを備え、
前記微調変倍手段は、このレジスタに記憶された副走査方向のずれを基に、ライン同期信号の発生周期間隔を変化させることを特徴とする請求項３記載の画像形成装置。
【請求項５】
前記微調変倍手段は、プラス微調変倍時には通常微調変倍時より主走査のライン同期信号の発生間隔を長くすることによって拡大微調変倍し、マイナス微調変倍時には通常微調変倍時より主走査のライン同期信号の発生間隔を短くすることによって縮小微調変倍することを特徴とする請求項１から請求項４のいずれか１項に記載の画像形成装置。
【請求項６】
前記算出手段による算出は、以下の数式に基づいて副走査方向のずれを算出することを特徴とする請求項１から請求項５のいずれか１項に記載の画像形成装置。
Ｚ＝（（Ｘ＊ａ）／Ｙ）−ａ
Ｘ：通常微調変倍時の主走査方向のライン同期信号ｌｓｙｎｃ長
（７０５．６ｕｓ）
Ｙ：微調独立変倍率に対応した主走査方向のライン同期信号ｌｓｙｎｃ長
（７０５．６ｕｓ＊微調変倍率値）
Ｚ：微調変倍値に応じて算出される副走査補正遅延量
ａ：デフォルトのＬＰＨ２の副走査遅延量
（固定値４１２（ＬＰＨ１とＬＰＨ２間のライン差））
※Ｚの値は小数点以下四捨五入
【請求項７】
前記微調変倍率設定手段による設定が０．１％刻みで設定可能であることを特徴とする請求項１から請求項６のいずれか１項に記載の画像形成装置。
【請求項８】
画像データを感光体上に書き込むための複数の発光素子アレイユニットを、前記感光体の軸線方向である主走査方向に配列するとともに、副走査方向にずらして配置した画像形成装置において、
画像データを微調変倍する際の微調変倍率の設定を受け付ける微調変倍率設定手段と、
微調変倍率とこの微調変倍率に対応する画像データのずれとを記憶する記憶手段と、
前記微調変倍率設定手段にて設定された微調変倍率に応じて、前記記憶手段から対応する画像データのずれを取得する取得手段と、
前記取得手段が取得した画像データのずれに基づき、ライン同期信号の発生周期間隔を変化させる微調変倍手段と、
を備えたことを特徴とする画像形成装置。
【請求項９】
前記記憶手段に記憶されている微調変倍率とこの微調変倍率に対応する画像データのずれは、各微調変倍率に対応した副走査遅延量をテーブルとして記載したものであることを特徴とする請求項８記載の画像形成装置。
【請求項１０】
前記微調変倍率設定手段による設定が０．１％刻みで設定可能であることを特徴とする請求項８または請求項９記載の画像形成装置。
【請求項１１】
前記微調変倍手段が、微調変倍を行う度に前記記憶手段から微調変倍時の副走査補正遅延量を取得し、取得した微調変倍時の副走査補正遅延量とデフォルトの副走査遅延量ラインとを加算したものを補正後の副走査遅延量とすることを特徴とする請求項８または請求項９記載の画像形成装置。
【請求項１２】
画像データを感光体上に書き込むための複数の発光素子アレイユニットを、前記感光体の軸線方向である主走査方向に配列するとともに、副走査方向にずらして配置した画像形成装置において、
画像データを微調変倍する際の微調変倍率の設定を受け付ける微調変倍率設定受付ステップと、
前記微調変倍率設定受付ステップで受け付けた微調変倍率に応じて、画像データのずれを算出する算出ステップと、
前記算出ステップでの算出に基づき、ライン同期信号の発生周期間隔を変化させる微調変倍ステップ、
を備えたことを特徴とする画像形成方法。
【発明の詳細な説明】
【技術分野】
【０００１】
本発明は、複数のＬＥＤ（発光ダイオード）アレイユニットを主走査方向に配列するとともに副走査方向にずらして配置したＬＥＤ書き込み装置を備えた、複写機、ファクシミリ、プリンタ、印刷機等の画像形成装置に関し、特に、主走査方向のライン同期信号で微調変倍することのできる画像形成装置に関する。
【背景技術】
【０００２】
ＬＥＤプリンタは、発光素子アレイユニットとして複数のＬＥＤ（発光ダイオード）を主走査方向に所定密度でアレイ状に列設した１次元のＬＥＤヘッドを使用した書き込み装置を備えており、書き込む画像データに応じてＬＥＤヘッドの各ＬＥＤの発光を制御し、その光情報を感光体上に結像投射して画像の書き込みを行っている。このようなＬＥＤプリンタは、レーザプリンタで使用しているポリゴンミラーのような可動部がなく、信頼性が高い。また、大判サイズのプリント出力を必要とする広幅機の場合には、レーザプリンタのように主走査方向に光ビームを走査させるための光学的空間が不要で、ＬＥＤアレイとセルフォックレンズ等の光学素子を一体化したＬＥＤヘッドを配置することにより、装置全体を小型化することができる。これらの理由から、ＬＥＤプリンタはレーザプリンタに置き代わって使用されている。
【０００３】
ところで、レーザプリンタが１０ｍＷ程度の出力の光源（レーザダイオード）１個を発光（点灯）させ、その光ビームをポリゴンミラー及びｆθレンズ等により走査させているのに対し、ＬＥＤプリンタは１画素毎に１個のＬＥＤを複数個主走査方向に並べ、これに各々数ｍＡ〜１０ｍＡ程度の電流を流して発光させるようにしており、１ＬＥＤ毎にデータ転送及び点灯の制御を行っている。
従って、プリンタや複写機が大型になると、それだけ使用するＬＥＤ及びドライバＩＣが増えて生産の歩留まりが低下し、またユニットも長くなり、書き込みビーム配列精度を維持するために、部品精度をよくする必要があり、部品単価も小型のプリンタや複写機に較べて非常に高くなってしまう。
そこで、価格の安い小型のプリンタや複写機用の複数のＬＥＤヘッドを、感光体の軸線方向（主走査方向）に沿って配列し、感光体の軸線方向の最大感光幅を各ＬＥＤヘッドによって分割して露光可能な装置が、下記の特許文献に開示されている。
【０００４】
【特許文献１】特開２００２−１９１７８公報
【特許文献２】特開２００２−２８３６０９公報
【０００５】
特許文献１は、複数のＬＥＤアレイユニットを主走査方向に配列するとともに副走査方向にずらして配置する場合に、ＬＥＤアレイユニットの副走査方向のずれによる画像データのずれをライン単位で補正し、更に補正された後の１ライン未満のずれをも補正することにより、画像データの副走査方向のずれを正確に補正することができるＬＥＤ書き込み装置について述べている。
【０００６】
特許文献２は、複数のＬＥＤアレイユニットを主走査方向に配列するとともに副走査方向にずらして配置する場合に、各ＬＥＤアレイユニットへ転送すべき画像データを分割制御手段によって各ＬＥＤアレイユニット毎に分割し、その分割した各画像データを転送タイミング制御手段によって感光体の回動方向（送り方向）に結像させる位置分だけ時間的にずらして各ＬＥＤアレイユニットへ転送させることにより、複数のＬＥＤアレイユニットによる感光体の感光層への分割露光によっても、高品質の画像を得ることが可能な画像形成装置について述べている。
【発明の開示】
【発明が解決しようとする課題】
【０００７】
しかしながら、特許文献１及び特許文献２は、複数のＬＥＤアレイユニットが副走査方向にずらして配置されている装置において、等倍にて画像形成を行う場合にＬＥＤアレイユニットの副走査方向のずれによる画像データのずれを補正する処理については述べているが、微調変倍にて画像形成を行う場合の処理については言及していない。
従来よりＬＥＤプリンタは、大判サイズのプリント出力（長尺紙への画像形成）を行うため、０．１％刻みで形成する画像を拡大・縮小する微調変倍を行う機能を備えている。ここで、等倍にて画像形成を行う場合の処理について補足すると、図４のように千鳥配置されている複数のＬＥＤアレイユニットのうち基準となるＬＥＤアレイユニットに対して副走査方向にずれて取り付けられているＬＥＤアレイユニットと基準ＬＥＤアレイユニットとの副走査方向距離を主走査のライン数に換算して画像データを遅延させて等倍画像を形成している。例えば、副走査方向の配置ずれが主走査ライン数換算で４１２ラインであった場合は、１ラインで同期信号が１回得られることから４１２回の同期信号検知を待ってからＬＥＤヘッド５０３に画像データを書き出せば副走査方向のずれがない画像が出力される。また、微調変倍にて画像形成を行う場合には、ＬＥＤアレイユニットの副走査方向の取り付けずれとの同期をとるための信号（主走査のライン同期信号）の発生周期間隔をずらすことによって、０．１％刻みで拡大・縮小の微調変倍を行う制御になっている。この微調変倍にて画像形成を行う場合には、主走査のライン同期信号の間隔をずらしていることで、画像データがずれてしまうといった問題が発生する。
【０００８】
そこで、本発明の目的は、上記の様な問題を鑑み、複数のＬＥＤアレイユニットを主走査方向に配列するとともに副走査方向にずらして配置した画像形成装置において、主走査方向のライン同期信号の発生周期間隔をずらすことによって、ＬＥＤアレイユニットの副走査方向の配置ずれがあったとしても適切な画像出力が得られる画像形成装置で、微調変倍にて画像形成を行う場合にも、副走査方向のずれのない画像データを得ることができる画像形成装置を提供することである。
【課題を解決するための手段】
【０００９】
請求項１記載の発明は、画像データを感光体上に書き込むための複数の発光素子アレイユニットを、前記感光体の軸線方向である主走査方向に配列するとともに、副走査方向にずらして配置した画像形成装置において、画像データを微調変倍する際の微調変倍率の設定を受け付ける微調変倍率設定手段と、前記微調変倍率設定手段にて設定された微調変倍率に応じて、画像データのずれを算出する算出手段と、前記算出手段の算出に基づき、ライン同期信号の発生周期間隔を変化させる微調変倍手段と、を備えたことにより、前記目的を達成する。
請求項２記載の発明では、請求項１記載の発明において、前記微調変倍手段にて微調変倍を行う場合、前記ライン同期信号の間隔をずらすことによって、発生する画像データのずれを補正する補正手段を備えたことを特徴とする。
【００１０】
請求項３記載の発明では、請求項１記載の発明において、前記算出手段による算出は、主走査方向のライン数を換算して副走査方向のずれを算出することを特徴とする。
請求項４記載の発明では、請求項１記載の発明において、前記算出手段により算出された主走査方向のライン数を換算した副走査方向のずれを記憶するレジスタを備え、前記微調変倍手段は、このレジスタに記憶された副走査方向のずれを基に、ライン同期信号の発生周期間隔を変化させることを特徴する。
【００１１】
請求項５記載の発明では、請求項１から請求項４のいずれか１項に記載の発明において、前記微調変倍手段は、プラス微調変倍時には通常微調変倍時より主走査のライン同期信号の発生間隔を長くすることによって拡大微調変倍し、マイナス微調変倍時には通常微調変倍時より主走査のライン同期信号の発生間隔を短くすることによって縮小微調変倍することを特徴とする。
請求項６記載の発明では、請求項１から請求項５のいずれか１項に記載の発明において、前記算出手段による算出は、以下の数式に基づいて副走査方向のずれを算出することを特徴とする。
Ｚ＝（（Ｘ＊ａ）／Ｙ）−ａ
Ｘ：通常微調変倍時の主走査方向のライン同期信号ｌｓｙｎｃ長
（７０５．６ｕｓ）
Ｙ：微調独立変倍率に対応した主走査方向のライン同期信号ｌｓｙｎｃ長
（７０５．６ｕｓ＊微調変倍率値）
Ｚ：微調変倍値に応じて算出される副走査補正遅延量
ａ：デフォルトのＬＰＨ２の副走査遅延量
（固定値４１２（ＬＰＨ１とＬＰＨ２間のライン差））
※Ｚの値は小数点以下四捨五入
【００１２】
請求項７記載の発明では、請求項１から請求項６のいずれか１項に記載の発明において、前記微調変倍率設定手段による設定が０．１％刻みで設定可能であることを特徴とする。
【００１３】
請求項８記載の発明では、画像データを感光体上に書き込むための複数の発光素子アレイユニットを、前記感光体の軸線方向である主走査方向に配列するとともに、副走査方向にずらして配置した画像形成装置において、画像データを微調変倍する際の微調変倍率の設定を受け付ける微調変倍率設定手段と、微調変倍率とこの微調変倍率に対応する画像データのずれとを記憶する記憶手段と、前記微調変倍率設定手段にて設定された微調変倍率に応じて、前記記憶手段から対応する画像データのずれを取得する取得手段と、前記取得手段が取得した画像データのずれに基づき、ライン同期信号の発生周期間隔を変化させる微調変倍手段と、を備えたことにより、前記目的を達成する。
請求項９記載の発明では、請求項８記載の発明において、前記記憶手段に記憶されている微調変倍率とこの微調変倍率に対応する画像データのずれは、各微調変倍率に対応した副走査遅延量をテーブルとして記載したものであることを特徴とする。
請求項１０記載の発明では、請求項８または請求項９記載の発明において、前記微調変倍率設定手段による設定が０．１％刻みで設定可能であることを特徴とする。
【００１４】
請求項１１記載の発明では、請求項８または請求項９記載の発明のおいて、前記微調変倍手段が、微調変倍を行う度に前記記憶手段から微調変倍時の副走査補正遅延量を取得し、取得した微調変倍時の副走査補正遅延量とデフォルトの副走査遅延量とを加算したものを補正後の副走査遅延量とすることを特徴とする。
【００１５】
請求項１２記載の発明では、画像データを感光体上に書き込むための複数の発光素子アレイユニットを、前記感光体の軸線方向である主走査方向に配列するとともに、副走査方向にずらして配置した画像形成装置において、画像データを微調変倍する際の微調変倍率の設定を受け付ける微調変倍率設定受付ステップと、前記微調変倍率設定受付ステップで受け付けた微調変倍率に応じて、画像データのずれを算出する算出ステップと、前記算出ステップでの算出に基づき、ライン同期信号の発生周期間隔を変化させる微調変倍ステップ、を備えたことにより、前記目的を達成する。
【発明の効果】
【００１６】
請求項１から請求項７および請求項１２に記載の発明によれば、主走査方向のライン同期信号の発生周期間隔をずらすことによって、ＬＥＤアレイユニットの副走査方向の配置ずれがあったとしても適切な画像出力が得られることができ、且つ微調変倍にて画像形成を行う場合にも、副走査方向のずれのない画像データを得ることができる画像形成装置を提供することである。
請求項８から請求項１１記載の発明によれば、各微調変倍率とこの微調変倍率に対応する画像データのずれとを記憶する記憶手段を備えたことで、迅速に副走査方向のずれのない画像データを得ることができる。
【発明を実施するための最良の形態】
【００１７】
以下、本発明の好適な実施の形態について、図１から図９を参照して詳細に説明する。
図１は、本発明の実施の形態に係るデジタル複写機の構成を示したブロック図である。図１を参照して、本発明の実施の形態に係るデジタル複写機の概要について説明する。
このデジタル複写機は、原稿の画像を読み取る読取手段としての読取部１００、読取部１００にて読み取られた画像情報を記憶する記憶手段としての画像情報記憶部３００、画像情報記憶部３００にて記憶された画像情報を転写紙に複写するための書込部５００、画像情報記憶部３００にて記憶された画像情報を転写紙に複写するための一連のプロセスを実行制御するシステム制御装置３０２、システム制御装置３０２にキー入力を行う操作手段としての操作部４００等を備えている。
【００１８】
ここで、読取部１００の構成について説明する。
オペレータが読取部１００の挿入口から原稿を挿入すると、この原稿はローラの回転に応じて密着センサであるセンサ１０１と白色ローラ間を搬送される。搬送中の原稿は、センサ１０１に取り付けられたＬＥＤにより照射され、その反射光はセンサ１０１に結像され、原稿の画像情報が読み取られる。センサ１０１上に結像した原稿画像は、アナログ画像信号に変換され、このアナログ画像信号は、画像増幅回路１０２で増幅される。ＡＤ（アナログ／デジタル）変換回路１０３は、画像増幅回路１０２で増幅されたアナログ画像信号を画素毎の多値のデジタル画像信号（デジタル画像情報）に変換する。変換されたデジタル画像信号は、同期制御回路１０６から出力されるクロックに同期して出力され、シェーデング補正回路１０４により、光量ムラ、コンタクトガラスの汚れ、センサ１０１の感度ムラ等による歪を補正する処理が施される。この補正されたデジタル画像情報は、画像処理回路１０５で所定の画像処理が施されてデジタル記録画像情報に変換された後、画像メモリ部３０１に書き込まれる。
【００１９】
次に、画像メモリ部３０１に書き込まれたデジタル記録画像情報を転写紙に形成するための一連のプロセスを制御しているシステム制御装置３０２と書込部５００の構成について説明する。
システム制御装置３０２は、読取制御回路１０７、同期制御回路１０６、画像メモリ部３０１、ＬＥＤ書込制御回路５０２での画像データ転送や、駆動制御回路５０４によりスキャナ駆動装置１０８、プリンタ駆動装置５０５を介してモータ等を駆動させ、読み取り原稿及び転写紙の搬送を円滑に制御するといった全体制御を行う機能をもっている。
書込部５００では、画像メモリ部３０１から同期信号クロックにより転送されたデジタル記録画像情報を、ＬＥＤ書込制御回路５０２にて１画素単位でビット変換し、複数のＬＥＤアレイユニットとしてのＬＥＤヘッド（ＬＰＨ）５０３にて赤外光に変換出力する。
ここで、画像メモリ部３０１から書込部５００への画像データ（デジタル記録画像情報）の流れを説明すると、画像メモリ部３０１からイーブン（Ｅ）、オッド（Ｏ）の２値画像データが２ラインパラレルの１６ＭＨｚでＬＥＤ書込制御回路５０２に送られてくる。２ラインで送られてきた画像データは、ＬＥＤ書込制御回路５０２内部で一旦１ラインに合成された後、各々のＬＥＤヘッド（ＬＰＨ）５０３−１、５０３−２、５０３−３へ転送される。
【００２０】
ここで、複数のＬＥＤヘッド（ＬＰＨ）５０３の配置について、図２から図４を参照して説明する。図２は、本発明の実施の形態に係るデジタル複写機の側面図であり、図３は、本発明の実施の形態に係るデジタル複写機の全体図であり、図４は、ＬＥＤヘッド（ＬＰＨ）５０３の斜視図である。
図２を参照すると、書き込みユニット内に複数のＬＥＤヘッド（ＬＰＨ）５０３が配置されている。図３を参照すると、複数のＬＥＤヘッド（ＬＰＨ）５０３として、ＬＰＨ１である５０３−１、ＬＰＨ２である５０３−２、ＬＰＨ３である５０３−３が、千鳥状に配置されている。この千鳥状の配置を図４を参照して説明すると、複数のＬＥＤヘッド（ＬＰＨ）５０３は、図２のドラムユニット内の感光体ドラムの軸線方向（主走査方向）に沿って配列されるとともに副走査方向にずらして配置されている。
【００２１】
次に、本発明の実施の形態に係るデジタル複写機において、ＬＥＤヘッド５０３に画像データを出力するタイミングについて説明する。前述の通り、本発明の実施の形態に係るデジタル複写機では、複数のＬＥＤヘッド（ＬＰＨ）５０３が感光体ドラムの軸線方向（主走査方向）に沿って配列されるとともに副走査方向にずらして配置されている。この様にＬＥＤヘッド（ＬＰＨ）５０３が副走査方向にずれている取り付け距離を主走査のライン数にＬＥＤヘッドへの画像書込み前に換算してシステム制御装置３０２内のレジスタに記憶し、デジタル複写機内のＬＥＤ書込制御回路５０２のラインメモリ内の画像データをその換算値に応じて適切にＬＥＤヘッド５０３に書き出す。
例えば、副走査方向のずれが主走査ライン数換算で４１２ラインであった場合は、１ラインで同期信号が１回得られることから４１２回の同期信号検知を待ってからＬＥＤヘッド５０３に書き出せば副走査方向のずれはなく、画像データに応じて感光体ドラム上に静電潜像が形成される。
ここで、図５を参照して、具体的な数値を用いてＬＥＤヘッド（ＬＰＨ）５０３に画像データを出力するタイミングについて説明する。図５を参照すると、ＬＰＨ１である５０３−１を基準として、中央のＬＰＨ２である５０３−２が１７．４ｍｍ下流に配置されており、右側のＬＰＨ３である５０３−３が０．６ｍｍ下流に配置されている。つまり、ＬＰＨ１である５０３−１の画像データを書き込むタイミングを基準とすると、ＬＰＨ２である５０３−２の画像データは４１２ライン遅延させて書き込む必要があり、ＬＰＨ３である５０３−３の画像データは１６ライン遅延させて書き込む必要がある。この副走査遅延量（遅延させるライン数）は、ＬＥＤヘッド（ＬＰＨ）５０３が副走査方向にずれている距離と解像度によって変化する。例えば、上述したように１７．４ｍｍも副走査方向の取り付けずれがあったとしても６００ｄｐｉで書き込む場合と４００ｄｐｉで書き込む場合とでは副走査遅延量は変化する。本実施の形態では、以降、前述の具体的なライン数（４１２ライン）を例にとって説明する。
【００２２】
更に、微調変倍にて画像形成を行う場合の処理について説明する。本発明の実施の形態に係るデジタル複写機は、従来のＬＥＤプリンタと同様に、微調変倍にて画像形成を行う機能を備えている。この微調変倍の機能は、通常の１％単位で行うズーム変倍の設定とは別に、画像形成後の出力画像に対して微小な変倍を施して画像形成の完成度を高めたい場合に用いる変倍であり、ユーザは操作部４００にてズーム変倍とは別のボタンを操作することによって微調独立変倍率として０．１％刻みで設定することができる。画像形成後の画像に対して１％以内の拡大縮小ならば微調変倍で対応し、１％以上の拡大縮小ならズーム変倍にて新たに原稿の読取処理から新たに作業を行う。
デジタル複写機にユーザより微調独立変倍率が設定され、微調変倍にて画像形成を行う場合には、主走査のライン同期信号の発生周期間隔を通常時よりも長く、あるいは短くすることによって、拡大・縮小の微調変倍を行う制御になっている。つまり、図５の上段に記載されている図のようにプラス微調変倍時には通常微調変倍時より主走査のライン同期信号の発生間隔を長くすることによって拡大微調変倍される。また、図５の下段に記載されている図のようにマイナス微調変倍時には通常微調変倍時より主走査のライン同期信号の発生間隔を短くすることによって縮小微調変倍される。ここで、図５の中段に記載されている通常微調変倍時とは、拡大・縮小の微調変倍を行わない、つまり微調変倍の設定はされていない通常のズーム変倍にて画像形成を行うことを意味している。
図６は、通常微調変倍時、プラス微調変倍時、マイナス微調変倍時の主走査のライン同期信号の間隔を示した図である。
【００２３】
ところで、この画像データのずれは、ＬＥＤヘッド（ＬＰＨ）５０３の副走査方向のずれが大きく、また、感光体ドラムの線速（画像形成のスピード）が遅い場合に顕著に現れる。その理由は、ＬＥＤヘッド（ＬＰＨ）５０３の副走査方向のずれが大きく、また、感光体ドラムの線速が遅い場合には、前述のラインメモリから画像データを出力する際の遅延量の設定値が大きくなるためである。例えば、ドラム線速が早いと同期信号の間隔が短くなるため、早く画像を出力することになり副走査方向のずれも目立たなくなる。具体的には線速が３倍になれば副走査方向のずれは１／３となる。
図７は、プラス微調変倍時、マイナス微調変倍時における、ＬＥＤヘッド（ＬＰＨ）５０３から出力される画像データのずれを示した図である。図７では、ＬＰＨ２である５０３−２、ＬＰＨ３である５０３−３から出力される画像データを例にとって画像データのずれを示している。
そこで、本発明の実施の形態に係るデジタル複写機は、プラス微調変倍時、マイナス微調変倍時には、微調独立変倍率の値に応じて副走査方向のずれを補正するように、主走査方向のライン数に換算してからＬＥＤヘッドへ画像出力することにより、画像のずれを補正する。以降、微調変倍にて画像形成を行う場合に、画像のずれを補正する方法について説明する。
【００２４】
まず、微調変倍時における、副走査方向の遅延量を算出する方法について、ＬＰＨ１である５０３−１とＬＰＨ２である５０３−２との副走査方向の遅延量を例に、数式を挙げて説明する。
【００２５】
(数式)
Ｚ＝（（Ｘ＊ａ）／Ｙ）−ａ
Ｘ：通常微調変倍時の主走査のライン同期信号ｌｓｙｎｃ長
（７０５．６ｕｓ）
Ｙ：微調独立変倍率に対応した主走査のライン同期信号ｌｓｙｎｃ長
（７０５．６ｕｓ＊微調変倍率値）
Ｚ：微調変倍値に応じて算出される副走査補正遅延量
ａ：デフォルトのＬＰＨ２の副走査遅延量
（固定値４１２（ＬＰＨ１とＬＰＨ２間のライン差））
※Ｚの値は小数点以下四捨五入
【００２６】
本発明の実施の形態に係るデジタル複写機において、上記数式をもとにＺを算出することにより、微調独立変倍率の値に応じた微調変倍時のＬＰＨ２の副走査遅延量を得ることができる。なお、この微調変倍時のＬＰＨ２の副走査遅延量（微調独立変倍率の値に応じて算出したＺの値）とデフォルトのＬＰＨ２の副走査遅延量（４１２ライン）とを加算したものを補正後の副走査遅延量として設定する。前述の通り、ＬＰＨ１の画像データの出力を基準にすると、ＬＰＨ２の画像データは、補正後の副走査遅延量分主走査のライン同期信号が出力されたところで画像データがＬＥＤヘッド５０３に対して出力されるので、微調変倍による副走査方向の画像のずれを補正することができる。
【００２７】
以上の説明では、微調変倍にて画像形成を行う度に上記数式をもとに微調変倍時のＬＰＨ２の副走査補正遅延量を算出するようにしているが、予め上記数式をもとに算出しておいた微調変倍時のＬＰＨ２の副走査遅延量をテーブルとしてデジタル複写機内のシステム制御装置３０２等に記憶しておいてもよい。図８は、デジタル複写機内に記憶する、微調独立変倍率とその値に応じた微調変倍時のＬＰＨ２の副走査補正遅延量とのテーブルを示した図である。この様にテーブルとして微調変倍時のＬＰＨ２の副走査補正遅延量を記憶する場合には、微調変倍にて画像形成を行う度にテーブルから微調変倍時のＬＰＨ２の副走査補正遅延量を取得するようにし、取得した微調変倍時のＬＰＨ２の副走査補正遅延量とデフォルトのＬＰＨ２の副走査遅延量（４１２ライン）とを加算したものを補正後の副走査遅延量とする。このようにテーブルに微調独立変倍率に応じて副走査補正量を記憶しておくことによって、微調独立変倍率の値に応じて副走査遅延量を変更し、微調変倍による副走査方向の画像のずれを補正することができる。上述したように数式をもとに副走査補正遅延量を求める場合と比較して、テーブルによって予めデータをもつことで数式を用いる場合と比べてより早く処理を行えるメリットがある。
【００２８】
図９は、副走査方向の遅延量をシステム制御装置３０２内のレジスタに設定する処理手順を示したフローチャートである。図９を参照すると、デジタル複写機は、まず、微調変倍を行うか否かを判定する（ステップ１１）。微調変倍を行うか否かは、ユーザが操作部４００にて微調独立変倍率を設定したか否かによって判定する。
微調変倍を行わない（ユーザが微調独立変倍率を設定しなかった）場合（ステップ１１；Ｎ）、デフォルト副走査遅延量を取得する（ステップ１２）。デフォルト副走査遅延量とは、ＬＰＨ２を例にとると、ＬＰＨ１とＬＰＨ２間のライン差４１２ラインとなる。このデフォルト副走査遅延量は、デジタル複写機内のシステム制御装置３０２内のレジスタ等に設定する（ステップ１３）。
微調変倍を行う（ユーザが微調独立変倍率を設定した）場合（ステップ１１；Ｙ）、デフォルト副走査遅延量を取得する（ステップ１４）。デフォルト副走査遅延量とは、ＬＰＨ２を例にとると、前述の通り４１２ラインとなる。そして、ユーザが操作部４００にて設定した微調独立変倍率を取得する（ステップ１５）。更に、ステップ１５で取得した微調独立変倍率に応じて、微調変倍時の副走査補正遅延量を求める（ステップ１６）。ステップ１６では、前述の通り、上記数式をもとに微調変倍時の副走査補正遅延量を算出するようにしてもよいし、上記テーブルから微調変倍時の副走査補正遅延量を取得するようにしてもよい。そして、ステップ１４で取得したデフォルト副走査遅延量とステップ１６で求めた微調変倍時の副走査補正遅延量とを加算したものを書き込みのレジスタに設定する（ステップ１７）。
【図面の簡単な説明】
【００２９】
【図１】本発明の実施の形態に係るデジタル複写機の構成を示したブロック図である。
【図２】本発明の実施の形態に係るデジタル複写機の側面図である。
【図３】本発明の実施の形態に係るデジタル複写機の全体図である。
【図４】ＬＥＤヘッド（ＬＰＨ）の斜視図である。
【図５】ＬＥＤヘッド（ＬＰＨ）に画像データを出力するタイミングを説明するための図である。
【図６】通常微調変倍時、プラス微調変倍時、マイナス微調変倍時の主走査のライン同期信号の間隔を示した図である。
【図７】プラス微調変倍時、マイナス微調変倍時における、ＬＥＤヘッド（ＬＰＨ）から出力される画像データのずれを示した図である。
【図８】デジタル複写機内に記憶する、微調独立変倍率とその値に応じた微調変倍時のＬＰＨ２の副走査補正遅延量とのテーブルを示した図である。
【図９】副走査方向の遅延量をレジスタに設定する処理手順を示したフローチャートである。
【符号の説明】
【００３０】
１００    読取部
１０１    センサ
１０２    画像増幅回路
１０３    ＡＤ変換回路
１０４    シェーディング補正回路
１０５    画像処理回路
１０６    同期制御回路
１０７    読取制御回路
１０８    スキャナ駆動装置
３００    画像情報記憶部
３０１    画像メモリ部
３０２    システム制御装置
４００    操作部
５００    書込部
５０２    ＬＥＤ書込制御回路
５０３    ＬＥＤヘッド（ＬＰＨ）
５０３−１  ＬＰＨ１
５０３−２  ＬＰＨ２
５０３−３  ＬＰＨ３
５０４    駆動制御回路
５０５    プリンタ駆動装置
【図１】
2005170033.tif 000003
【図２】
2005170033.tif 000004
【図３】
2005170033.tif 000005
【図４】
2005170033.tif 000006
【図５】
2005170033.tif 000007
【図６】
2005170033.tif 000008
【図７】
2005170033.tif 000009
【図８】
2005170033.tif 000010
【図９】
2005170033.tif 000011